(57)【要約】      （修正有）【課題】チャネルパラメータの推定コストを低減すると共に、チャネルパラメータ推定の一定の品質を維持する。【解決手段】送信方法は、Ｐ個のＯＦＤＭシンボルを有し、Ｑ個のサブキャリアを有する物理リソースブロックを形成するように、モードに応じてパイロットシンボルを挿入する。モードは、Ｑ×Ｐアレイにおいて、各アンテナのそれぞれの少なくとも二つのパイロット位置を含み、すべてのパイロット位置は、時間領域及び周波数領域の方向にお互いに間隔を隔てており、且つ同一のアンテナのパイロット位置間の最大時間間隔／最大周波数間隔は、当該同一のアンテナのパイロット位置のうち、アレイの一端に最も近接するパイロット位置と、その一端との間の時間／周波数間隔より大きい又は等しい。各アンテナに対して、パイロットシンボルを当該アンテナに対するパイロット位置に挿入し、ＯＦＤＭデータシンボルをパイロット位置以外の位置に載せる。【選択図】図５
2010068518.tif 000002
【特許請求の範囲】
【請求項１】
Ｎ個（Ｎは２以上の整数）のアンテナからＯＦＤＭデータシンボルを送信するＭＩＭＯ−ＯＦＤＭ送信方法であって、
モードに応じてパイロットシンボルを挿入して物理リソースブロックを形成する段階を含み、ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、
且つ、前記モードは、
物理リソースブロックに対応するＱ×Ｐアレイにおいて、Ｎ個のアンテナのそれぞれに対する少なくとも二つのパイロット位置を含み、すべてのパイロット位置は、時間領域及び周波数領域の方向においてお互いに間隔を隔てており、同一のアンテナのパイロット位置間の最大時間領域間隔／最大周波数領域間隔は、時間領域／周波数領域の方向における前記同一のアンテナのパイロット位置のうち、アレイの一端に最も近接するパイロット位置と、前記一端との間の時間領域／周波数領域間隔より大きい又は等しく、
ここで、各アンテナに対して、当該アンテナのためのパイロットシンボルを当該アンテナに対するパイロット位置に挿入し、且つ、ＯＦＤＭデータシンボルをパイロット位置以外の位置に載せる、ＭＩＭＯ−ＯＦＤＭ送信方法。
【請求項２】
同一のアンテナの全ての隣接するパイロット位置間の時間領域間隔／周波数領域間隔をできるだけ近くする、請求項１に記載のＭＩＭＯ−ＯＦＤＭ送信方法。
【請求項３】
前記Ｎ個のアンテナについて、全ての同一のアンテナの隣接のパイロット位置間の時間領域間隔／周波数領域間隔をできるだけ近くする、請求項２に記載のＭＩＭＯ−ＯＦＤＭ送信方法。
【請求項４】
Ｎ＝８、Ｐ＝６、且つＱ＝１８であり、そして、前記アレイは下記のパイロット位置の集合、
｛Ｐｘ１,１,１、Ｐｘ７,２,１、Ｐｘ２,５,１、Ｐｘ８,６,１、
Ｐｘ３,１,６、Ｐｘ５,２,６、Ｐｘ４,５,６、Ｐｘ６,６,６、
Ｐｘ２,１,１３、Ｐｘ８,２,１３、Ｐｘ１,５,１３、Ｐｘ７,６,１３、
Ｐｘ４,１,１８、Ｐｘ６,２,１８、Ｐｘ３,５,１８、Ｐｘ５,６,１８｝、
｛Ｐｘ１,１,２、Ｐｘ７,２,２、Ｐｘ２,５,２、Ｐｘ８,６,２、
Ｐｘ３,１,７、Ｐｘ５,２,７、Ｐｘ４,５,７、Ｐｘ６,６,７、
Ｐｘ２,１,１２、Ｐｘ８,２,１２、Ｐｘ１,５,１２、Ｐｘ７,６,１２、
Ｐｘ４,１,１７、Ｐｘ６,２,１７、Ｐｘ３,５,１７、Ｐｘ５,６,１７｝、
｛Ｐｘ１,１,１、Ｐｘ７,２,１、Ｐｘ２,５,１、Ｐｘ８,６,１、
Ｐｘ３,１,２、Ｐｘ５,２,２、Ｐｘ４,５,２、Ｐｘ６,６,２、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１７、Ｐｘ８,２,１７、Ｐｘ１,５,１７、Ｐｘ７,６,１７、
Ｐｘ４,１,１８、Ｐｘ６,２,１８、Ｐｘ３,５,１８、Ｐｘ５,６,１８｝、及び
｛Ｐｘ１,１,２、Ｐｘ７,２,２、Ｐｘ２,５,２、Ｐｘ８,６,２、
Ｐｘ３,１,３、Ｐｘ５,２,３、Ｐｘ４,５,３、Ｐｘ６,６,３、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１６、Ｐｘ８,２,１６、Ｐｘ１,５,１６、Ｐｘ７,６,１６、
Ｐｘ４,１,１７、Ｐｘ６,２,１７、Ｐｘ３,５,１７、Ｐｘ５,６,１７｝
（ここで、Ｐｘi，ｙ，ｚは、アレイの中の時間領域の第ｙ番目のＯＦＤＭシンボル、周波数領域の第ｚ番目のサブキャリアにおける第ｘi番目の送信アンテナに対するパイロット位置を表し、ｘ１、ｘ２、ｘ３、ｘ４、ｘ５、ｘ６、ｘ７、ｘ８は、０より大きく、９より小さく、且つ、お互いに等しくない。）
のいずれか一つを含む、請求項１乃至３のいずれか一項に記載のＭＩＭＯ−ＯＦＤＭ送信方法。
【請求項５】
Ｎ個（Ｎは２以上の整数）の送信アンテナから送信された信号をＭ個（Ｍは１以上の整数）の受信アンテナによって受信するＭＩＭＯ−ＯＦＤＭ受信方法であって
各受信アンテナ及び各送信アンテナに対して、モードに応じて、周波数領域に変換された物理リソースブロックからパイロットシンボルを抽出する段階と、
抽出されたパイロットシンボルに基づいて前記受信アンテナと前記送信アンテナとの間のチャネルのパラメータを推定する段階とを含み、
ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、
且つ、前記モードは、
物理リソースブロックに対応するＱ×Ｐアレイにおいて、Ｎ個の送信アンテナのそれぞれの送信アンテナに対する少なくとも二つのパイロット位置を含み、パイロット位置のすべては、時間領域及び周波数領域の方向においてお互いに間隔を隔てており、同一の送信アンテナのパイロット位置間の最大時間領域間隔／最大周波数領域間隔は、時間領域／周波数領域の方向における前記同一の送信アンテナのパイロット位置のうち、アレイの一端に最も近接するパイロット位置と、前記一端との間の時間領域／周波数領域間隔より大きい又は等しく、
ここで、各送信アンテナに対して、当該送信アンテナに対するパイロット位置からパイロットシンボルを抽出し、且つ、ＯＦＤＭデータシンボルをパイロット位置以外の位置に載せる、ＭＩＭＯ−ＯＦＤＭ受信方法。
【請求項６】
同一の送信アンテナの全ての隣接するパイロット位置間の時間領域間隔／周波数領域間隔をできるだけ近くする、請求項５に記載のＭＩＭＯ−ＯＦＤＭ受信方法。
【請求項７】
前記Ｎ個の送信アンテナについて、全ての同一の送信アンテナの隣接するパイロット位置間の時間領域間隔／周波数領域間隔をできるだけ近くする、請求項６に記載のＭＩＭＯ−ＯＦＤＭ受信方法。
【請求項８】
Ｎ＝８、Ｐ＝６、且つＱ＝１８であり、そして、前記アレイは下記のパイロット位置の集合、
｛Ｐｘ１,１,１、Ｐｘ７,２,１、Ｐｘ２,５,１、Ｐｘ８,６,１、
Ｐｘ３,１,６、Ｐｘ５,２,６、Ｐｘ４,５,６、Ｐｘ６,６,６、
Ｐｘ２,１,１３、Ｐｘ８,２,１３、Ｐｘ１,５,１３、Ｐｘ７,６,１３、
Ｐｘ４,１,１８、Ｐｘ６,２,１８、Ｐｘ３,５,１８、Ｐｘ５,６,１８｝、
｛Ｐｘ１,１,２、Ｐｘ７,２,２、Ｐｘ２,５,２、Ｐｘ８,６,２、
Ｐｘ３,１,７、Ｐｘ５,２,７、Ｐｘ４,５,７、Ｐｘ６,６,７、
Ｐｘ２,１,１２、Ｐｘ８,２,１２、Ｐｘ１,５,１２、Ｐｘ７,６,１２、
Ｐｘ４,１,１７、Ｐｘ６,２,１７、Ｐｘ３,５,１７、Ｐｘ５,６,１７｝、
｛Ｐｘ１,１,１、Ｐｘ７,２,１、Ｐｘ２,５,１、Ｐｘ８,６,１、
Ｐｘ３,１,２、Ｐｘ５,２,２、Ｐｘ４,５,２、Ｐｘ６,６,２、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１７、Ｐｘ８,２,１７、Ｐｘ１,５,１７、Ｐｘ７,６,１７、
Ｐｘ４,１,１８、Ｐｘ６,２,１８、Ｐｘ３,５,１８、Ｐｘ５,６,１８｝、及び
｛Ｐｘ１,１,２、Ｐｘ７,２,２、Ｐｘ２,５,２、Ｐｘ８,６,２、
Ｐｘ３,１,３、Ｐｘ５,２,３、Ｐｘ４,５,３、Ｐｘ６,６,３、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１６、Ｐｘ８,２,１６、Ｐｘ１,５,１６、Ｐｘ７,６,１６、
Ｐｘ４,１,１７、Ｐｘ６,２,１７、Ｐｘ３,５,１７、Ｐｘ５,６,１７｝、
（ここで、Ｐｘi，ｙ，ｚは、アレイの中の時間領域の第ｙ番目のＯＦＤＭシンボル、周波数領域の第ｚ番目のサブキャリアにおける第ｘi番目の送信アンテナに対するパイロット位置を表し、ｘ１、ｘ２、ｘ３、ｘ４、ｘ５、ｘ６、ｘ７、ｘ８は、０より大きく、９より小さく、且つ、お互いに等しくない。）
のいずれか一つを含む、請求項５乃至７のいずれか一項に記載のＭＩＭＯ−ＯＦＤＭ送信方法。
【請求項９】
Ｎ個（Ｎは２以上の整数）のアンテナからＯＦＤＭデータシンボルを送信するＭＩＭＯ−ＯＦＤＭ送信装置であって、
モードに応じてパイロットシンボルを挿入して物理リソースブロックを形成するパイロット挿入器を含み、
ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、
且つ、前記モードは、
物理リソースブロックに対応するＱ×Ｐアレイにおいて、Ｎ個のアンテナのそれぞれに対する少なくとも二つのパイロット位置を含み、すべてのパイロット位置は、時間領域及び周波数領域の方向においてお互いに間隔を隔てており、且つ、同一のアンテナのパイロット位置間の最大時間領域間隔／最大周波数領域間隔は、時間領域／周波数領域の方向における前記同一のアンテナのパイロット位置のうち、アレイの一端に最も近接するパイロット位置と、前記一端との間の時間領域／周波数領域間隔より大きい又は等しいことを含み、
ここで、各アンテナのそれぞれに対して、当該アンテナためのパイロットシンボルを当該アンテナに対するパイロット位置に挿入し、且つ、ＯＦＤＭデータシンボルをパイロット位置以外の位置に載せる、ＭＩＭＯ−ＯＦＤＭ送信装置。
【請求項１０】
Ｎ個（Ｎは２以上の整数）の送信アンテナから送信された信号をＭ個（Ｍは２以上の整数）の受信アンテナによって受信するＭＩＭＯ−ＯＦＤＭ受信装置であって、
各受信アンテナ及び各送信アンテナに対して、モードに応じて、周波数領域に変換された物理リソースブロックからパイロットシンボルを抽出するパイロット抽出器、及び
抽出されたパイロットシンボルから前記受信アンテナと前記送信アンテナとの間のチャネルのパラメータを推定するチャネル推定器を含み、
ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、
且つ、前記モードは、
物理リソースブロックに対応するＱ×Ｐアレイにおいて、Ｎ個の送信アンテナのそれぞれの送信アンテナに対する少なくとも二つのパイロット位置を含み、すべてのパイロット位置は、時間領域及び周波数領域の方向においてお互いに間隔を隔てており、且つ、同一の送信アンテナのパイロット位置間の最大時間領域間隔／最大周波数領域間隔は、時間領域／周波数領域の方向における前記同一の送信アンテナのパイロット位置のうち、アレイの一端に最も近接するパイロット位置と、前記一端との間の時間領域／周波数領域間隔より大きい又は等しく、
ここで、パイロット抽出器は、各送信アンテナに対して、当該アンテナに対するパイロット位置からパイロットシンボルを抽出し、そして、パイロット位置以外の位置にＯＦＤＭデータシンボルを載せる、ＭＩＭＯ−ＯＦＤＭ受信装置。
【発明の詳細な説明】
【技術分野】
【０００１】
本発明は、多入力多出力直交周波数分割多重（ＭＩＭＯ−ＯＦＤＭ）技術に関し、特に、ＭＩＭＯ−ＯＦＤＭシステムにおけるパイロット伝送に関するものである。
【背景技術】
【０００２】
ＭＩＭＯ−ＯＦＤＭシステムの提供は、無線通信分野の重大なブレークスルーであり、そのスペクトル効率の高さ、安定した信号伝送、高い伝送レートなどの基本的な特性は第四世代の無線伝送ネットワークの発展の需要を満足することができる。ＭＩＭＯ−ＯＦＤＭシステムには、多入力多出力（ＭＩＭＯ）アンテナと直交周波数分割多重（ＯＦＤＭ）変調との二つのキー技術が組み合わせられている。このようなシステムは、空間多重化の技術により、より高いデータ伝送レートを提供することができ、また、空間ダイバーシチと直交周波数分割多重により、非常に高い信頼性とスペクトル効率を達成することができる。
【０００３】
ＭＩＭＯ−ＯＦＤＭシステムでは、複数の送信・受信アンテナを使用することによって、送信アンテナと受信アンテナとの間の空間チャネルが大幅に増加されている。これに対応して、受信側は、パイロット又は試験信号により、空間チャネル毎のチャネルパラメータを推定する必要があるため、チャネルパラメータの推定コストが急激に増加せざるをえない。
【発明の概要】
【発明が解決しようとする課題】
【０００４】
本発明が解決しようとする技術的課題は、チャネルパラメータの推定コストを低減すると共に、チャネルパラメータ推定の一定の品質を維持することができるＭＩＭＯ−ＯＦＤＭ送信装置、ＭＩＭＯ−ＯＦＤＭ受信装置、ＭＩＭＯ−ＯＦＤＭ送信方法及びＭＩＭＯ−ＯＦＤＭ受信方法を提供することにある。
【課題を解決するための手段】
【０００５】
本発明の一つの実施例には、ＭＩＭＯ−ＯＦＤＭ送信方法が、Ｎ個（Ｎは２以上の整数）のアンテナからＯＦＤＭデータシンボルを送信するために用いられる。送信方法は、物理リソースブロックを形成するように、モードに応じてパイロットシンボルを挿入する段階を含み、ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、且つ、前記モードは、物理リソースブロックに対応するＱ×Ｐアレイにおいて、Ｎ個のアンテナのそれぞれのアンテナに対する少なくとも二つのパイロット位置を含み、すべてのパイロット位置は、時間領域及び周波数領域の方向においてお互いに間隔を隔てており、同一のアンテナのパイロット位置間の最大時間領域間隔／最大周波数領域間隔は、時間領域／周波数領域の方向における前記同一のアンテナのパイロット位置のうち、アレイの一端に最も近接したパイロット位置と、最も近接した一端との間の時間領域／周波数領域間隔より大きい又は等しく、ここで、各アンテナに対し、当該アンテナに対するパイロット位置に当該アンテナのためのパイロットシンボルを挿入し、且つ、ＯＦＤＭデータシンボルをパイロット位置以外の位置に載せる。
【０００６】
本発明の一つの実施例には、ＭＩＭＯ−ＯＦＤＭ受信方法が、Ｎ個（Ｎは２以上の整数）の送信アンテナから送信された信号をＭ個（Ｍは１以上の整数）の受信アンテナによって受信するために用いられる。受信方法は、各受信アンテナ及び各送信アンテナに対して、モードに応じて、周波数領域に変換された物理リソースブロックからパイロットシンボルを抽出する段階と、抽出されたパイロットシンボルに基づいて前記受信アンテナと前記送信アンテナとの間のチャネルのパラメータを推定する段階と、を含む。ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、且つ、前記モードは、物理リソースブロックに対応するＱ×Ｐアレイにおいて、Ｎ個の送信アンテナのそれぞれのアンテナに対する少なくとも二つのパイロット位置を含み、すべてのパイロット位置が、時間領域及び周波数領域の方向においてお互いに間隔を隔てており、且つ、同一の送信アンテナのパイロット位置間の最大時間領域間隔／最大周波数領域間隔は、時間領域／周波数領域の方向における前記同一の送信アンテナのパイロット位置のうち、アレイの一端に最も近接するパイロット位置と、前記一端との間の時間領域／周波数領域間隔より、大きい又は等しく、ここで、各送信アンテナに対して、当該送信アンテナに対するパイロット位置からパイロットシンボルを抽出し、且つ、ＯＦＤＭデータシンボルをパイロット位置以外の位置に載せる。
【０００７】
本発明の一つの実施例において、ＯＦＤＭデータシンボルをＮ個（Ｎは２以上の整数）のアンテナから送信するためにＭＩＭＯ−ＯＦＤＭ送信装置が用いられる。送信装置は、物理リソースブロックを形成するように、モードに応じてパイロットシンボルを挿入するパイロット挿入器を含む。ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、且つ、前記モードは、物理リソースブロックに対応するＱ×Ｐアレイにおいて、Ｎ個のアンテナのそれぞれに対する少なくとも二つのパイロット位置を含み、すべてのパイロット位置は、時間領域及び周波数領域の方向においてお互いに間隔を隔てており、且つ、同一のアンテナのパイロット位置間の最大時間領域間隔／最大周波数領域間隔は、時間領域／周波数領域の方向における前記同一のアンテナのパイロット位置のうち、アレイの一端に最も近接するパイロット位置と、最も近接する一端との間の時間領域／周波数領域間隔より、大きい又は等しいことを含み、ここで、各アンテナのそれぞれに対して、当該アンテナのためのパイロットシンボルを当該アンテナに対するパイロット位置に挿入し、且つ、ＯＦＤＭデータシンボルをパイロット位置以外の位置に載せる。
【０００８】
本発明の一つの実施例では、ＭＩＭＯ−ＯＦＤＭ受信装置が、Ｎ個（Ｎは２以上の整数）の送信アンテナから送信された信号をＭ個（Ｍは１以上の整数）の受信アンテナによって受信するために用いられる。受信装置は、各受信アンテナ及び各送信アンテナに対して、モードに応じて、周波数領域に変換された物理リソースブロックからパイロットシンボルを抽出するパイロット抽出器と、抽出されたパイロットシンボルに基づいて前記受信アンテナと前記送信アンテナとの間のチャネルのパラメータを推定するチャネル推定器と、を含む。ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、且つ、前記モードは、物理リソースブロックに対応するＱ×Ｐアレイにおいて、Ｎ個の送信アンテナのそれぞれに対する少なくとも二つのパイロット位置を含み、すべてのパイロット位置が、時間領域及び周波数領域の方向においてお互いに間隔を隔てており、且つ、同一の送信アンテナのパイロット位置間の最大時間領域間隔／最大周波数領域間隔は、時間領域／周波数領域の方向における前記同一の送信アンテナのパイロット位置のうち、アレイの一端に最も近接するパイロット位置と、最も近接する一端との間の時間領域／周波数領域間隔より、大きい又は等しく、ここで、パイロット抽出器は、各送信アンテナのそれぞれに対して、当該アンテナに対するパイロット位置からパイロットシンボルを抽出し、且つ、パイロット位置以外の位置にＯＦＤＭデータシンボルを載せる。
【発明の効果】
【０００９】
本発明の実施例では、同一の物理リソースブロックに少なくとも二つのパイロットシンボルがあり、対応するサブキャリアのパラメータを推定することで、内挿補間や外挿補間の方法により、同一のサブキャリアの近隣の時間領域位置におけるパラメータと、近隣の周波数領域位置における異なるサブキャリアのパラメータとを推定することができる。その少なくとも二つのパイロットシンボルのうち、隣接するパイロットシンボル間の最大時間領域間隔／最大周波数領域間隔が、時間領域／周波数領域方向におけるアレイの一端に最も近接するパイロットシンボルと対応する一端との間の時間領域／周波数領域間隔より、大きい又は等しいことにより、外挿補間の方法により推定されたパラメータに対して、内挿補間の方法により推定されたパラメータの方が、その数が多いかまたは等しい。従って、本発明の実施例によれば、実際にパイロットシンボルからチャネルパラメータを推定する次数を低減することができ、一定のチャネルパラメータの推定の品質を維持することができる。
【図面の簡単な説明】
【００１０】
以下、図面に基づく本発明の実施例についての説明を参照すると、本発明の以上及びその他の目的と特徴、利点をより理解し易くなる。図面には、同様又は対応の技術的な特徴や部品に同様又は対応の図面符号を付与して示している。
【図１】本発明の実施例によるＭＩＭＯ−ＯＦＤＭ送信装置を示すブロック図である。
【図２】本発明の実施例によるＭＩＭＯ−ＯＦＤＭ送信方法を示すフローチャートである。
【図３】本発明の実施例によるＭＩＭＯ−ＯＦＤＭ受信装置を示すブロック図である。
【図４】本発明の実施例によるＭＩＭＯ−ＯＦＤＭ受信方法を示すフローチャートである。
【図５】８送信アンテナのコストが４／２７のモード１を示した模式図である。
【図６】８送信アンテナのコストが４／２７のモード２を示した模式図である。
【図７】８送信アンテナのコストが２／９のモード１を示した模式図である。
【図８】８送信アンテナのコストが２／９のモード２を示した模式図である。
【図９】一つの物理リソースブロックの構成を示した模式図である。
【発明を実施するための形態】
【００１１】
以下、本発明の実施例について図面を参照しながら説明する。なお、明らかにするために、図面と説明には、本発明とは関係がない、当業者にとって既に知られている部品や処理の表示や記述を省略する。
【００１２】
図１は本発明の実施例によるＭＩＭＯ−ＯＦＤＭ送信装置１００を示すブロック図である。ここで、理解ための例示とする目的から、解決しようとする課題と関連する部品として、例えば、符号化器、符号変調器、多重化器、シリアル／パラレル変換器、逆高速フーリエ変換器（ＩＦＦＴ）、サイクリック・プレフィックス（ＣＰ）挿入器、及び送信アンテナ等を示している。
【００１３】
図１に示すように、ＭＩＭＯ−ＯＦＤＭ送信装置１００は、符号化器１０１と、符号変調器１０２と、多重化器１０３と、パイロット挿入器１０４と、シリアル／パラレル変換器１０５−１〜１０５−Ｎと、ＩＦＦＴ１０６−１〜１０６−Ｎと、ＣＰ挿入器１０７−１〜１０７−Ｎと送信アンテナ１０８−１〜１０８−Ｎと、を含む。ここで、Ｎ＞１である。
【００１４】
符号化器１０１は、送信しようとする情報のビットストリームに対して、圧縮や誤り検出符号化、誤り訂正符号化等の処理を行って、符号化されたデータを生成する。符号変調器１０２は、符号化されたデータをＯＦＤＭデータシンボルに変調する。多重器１０３は、時空間符号化、空間多重等の技術に基づいて、ＯＦＤＭデータシンボルを送信アンテナ１０８−１〜１０８−Ｎに対応する送信伝搬路に割り当てる。パイロット挿入器１０４は、各伝搬路のそれぞれに対して、モードに応じてＯＦＤＭデータシンボルストリームに、対応する送信アンテナに対するパイロットシンボルを挿入して、ＯＦＤＭシンボルストリームを生成する。シリアル／パラレル変換器１０５−１〜１０５−Ｎは、それぞれ、対応する伝搬路における送信周期毎のＯＦＤＭシンボルストリームを各サブキャリアに割り当てる。ＩＦＦＴ１０６−１〜１０６−Ｎは、それぞれ、対応する伝搬路において各サブキャリアに割り当てられたＯＦＤＭシンボルストリームを、周波数領域から時間領域に変換する。ＣＰ挿入器１０７−１〜１０７−Ｎは、それぞれ、対応する伝搬路における各サブキャリア上のＯＦＤＭシンボルストリームにサイクリック・プレフィックスを挿入して、ガード区間を設ける。送信アンテナ１０８−１〜１０８−Ｎは、それぞれ、対応する伝搬路のＯＦＤＭシンボルストリームのＲＦ信号を送信する。
【００１５】
以上の記述のように、パイロット挿入器１０４は、モードに応じて、伝搬路毎のＯＦＤＭデータシンボルストリームに、対応する送信アンテナに対するパイロットシンボルを挿入して、物理リソースブロックを生成する。
【００１６】
図９は一つの物理リソースブロックの構成を模式的に示している。図９に示すように、物理リソースブロックは一つのＱ×Ｐアレイとみなすことができる。ここで、各列は時間領域方向に沿って配列され、各行は周波数領域方向に沿って配列される。時間領域内にはＰ個のＯＦＤＭシンボルが含まれ、周波数領域内には、Ｑ個のサブキャリアが含まれ、Ｐ、Ｑ＞１である。アレイ中の各要素（小さいブロックで表す）は、通常、送信周期のあるタイミングに一つのサブキャリアにより送信されるＯＦＤＭシンボルを表す。各伝搬路において、物理リソースブロックのＯＦＤＭシンボルは、対応するシリアル／パラレル変換器１０５−１〜１０５−Ｎを介してＱ個のグループに分けられ、サブキャリア毎にグループ分けされる。たとえば、第１行のＰ個の符号が第１のサブキャリアに割り当てられ、第２行のＰ個の符号が第２のサブキャリアに割り当てられ、．．．、第Ｑ行のＰ個の符号が第Ｑのサブキャリアに割り当てられる。ＯＦＤＭシンボルは、ＯＦＤＭデータシンボル（図９に、空白の小さいブロックで示した）であってもよい、また、パイロットシンボル（図９に、影付きの小さいブロックで示した）であってもよい。図９には物理リソースブロックを２次元の構造で示しているが、実際には、各要素は１次元に配列されており、すなわち、第１行の左から右まで、第２行の左から右まで、．．．、第Ｑ行までに、このような順序に配列されている。
【００１７】
モードには、物理リソースブロックにおける各要素のそれぞれに載せられるのがＯＦＤＭデータシンボルであるか、又は、ＯＦＤＭパイロットシンボルであるか、及び、ＯＦＤＭパイロットシンボルがどの送信アンテナのパイロットシンボルであるかを定義している。例えば、モードには、物理リソースブロックのＱ×Ｐアレイにおける各要素の位置がデータシンボル位置であるか又はパイロットシンボル位置であるかを示す情報、及び各パイロットシンボルのそれぞれの対応する送信アンテナを示す情報を含むことができる。
【００１８】
パイロット挿入器１０４に使用されるモードに応じて、物理リソースブロックのＱ×Ｐアレイには、
１）送信アンテナ１０８−１〜１０８−Ｎのいずれも、少なくとも二つのパイロット位置を有する；
２）すべてのパイロット位置は、時間領域及び周波数領域方向において互いに間隔を隔てている。例えば、送信アンテナ１０８−１〜１０８−Ｎの全てのパイロット位置は互いに重なっていない；
３）同一のアンテナのパイロット位置間の最大時間領域間隔／最大周波数領域間隔は、時間領域／周波数領域方向における当該同一のアンテナのパイロット位置のうち、アレイの一端に最も近接するパイロット位置と、その一端との間の時間領域／周波数領域間隔より、大きい又は等しい。
【００１９】
送信アンテナ毎の送信データを処理する際に、パイロット挿入器１０４は、当該モードに応じて、当該送信アンテナためのパイロットシンボルを当該送信アンテナのパイロット位置に挿入し、そして、ＯＦＤＭデータシンボルをパイロット位置以外の位置に載せる。例えば、パイロット挿入器１０４は、送信アンテナ１０８−１の伝搬路に対して、当該伝搬路における多重器１０３からのＯＦＤＭデータシンボルストリーム中の現在位置がパイロット位置であるかどうかを判定する。パイロット位置であれば、送信アンテナ１０８−１のパイロット位置であるかどうかを判定する。送信アンテナ１０８−１のパイロット位置であれば、当該位置に送信アンテナ１０８−１のパイロットシンボルを挿入する。送信アンテナ１０８−１のパイロット位置ではなければ、任意の充填符号を挿入する（空き符号（例えば０）又は他の伝送への干渉が低い符号が好ましい）。パイロット位置ではなければ、現在位置を次のＯＦＤＭデータシンボルに移行する。パイロット挿入器１０４は、一つの物理リソースブロックが形成されるまで、以上のように処理を行い、そして、次の物理リソースブロックの形成を続けていく。
【００２０】
なお、前述の実施例には、一つのパイロット挿入器１０４が記載されているが、本発明はこれに限定されないことに注意すべきである。ＭＩＭＯ−ＯＦＤＭ送信装置１００は、それぞれ異なる伝搬路を処理する複数のパイロット挿入器を含むことができる。例えば、図１に示すように、ＭＩＭＯ−ＯＦＤＭ送信装置１００は、それぞれ送信アンテナ１０８−１〜１０８−Ｎの相応する伝搬路を処理するパイロット挿入器１０４−１〜１０４−Ｎを含むことができる。
【００２１】
図２は本発明の実施例によるＭＩＭＯ−ＯＦＤＭ送信方法を示すフローチャートである。ここで、理解ための例示とする目的から、解決しようとする課題と関連するステップとして、例えば、符号化ステップ、符号変調ステップ、多重化ステップ、シリアル／パラレル変換ステップ、逆高速フーリエ変換ステップと、CＰ挿入ステップ、アンテナ送信ステップ等を示している。
【００２２】
図２に示すように、この方法はステップ２００から始める。ステップ２０２において、送信しようとする情報ビットストリームに対して、圧縮や誤り検出符号化、誤り訂正符号化等の処理を行って、符号化されたデータを生成する。ステップ２０４において、符号データをＯＦＤＭデータシンボルに変調する。ステップ２０６において、時空間符号化や空間多重等の技術に基づいて、ＯＦＤＭデータシンボルを各送信アンテナに対応する送信伝搬路に割り当てる。ステップ２０８において、各伝搬路に対して、モードに応じて対応する送信アンテナに対するパイロットシンボルをＯＦＤＭデータシンボルストリームに挿入して、ＯＦＤＭシンボルストリームを生成する。ステップ２１０において、それぞれ、対応する伝搬路における送信周期毎のＯＦＤＭシンボルストリームを各サブキャリアに割り当てる。ステップ２１２において、それぞれ、対応する伝搬路において各サブキャリアに割り当てられたＯＦＤＭシンボルストリームを、周波数領域から時間領域に変換する。ステップ２１４において、それぞれに、対応する伝搬路における各サブキャリア上のＯＦＤＭシンボルストリームにサイクリック・プレフィックスを挿入して、ガード区間を設ける。ステップ２１６において、それぞれ、対応する伝搬路のＯＦＤＭシンボルストリームのＲＦ信号を送信する。ステップ２１８において、この方法を終了する。物理リソースブロック毎に、図２に示す方法を実施する。連続して情報のビットストリームが与えられた場合には、この方法を繰り返して実行することができる。
【００２３】
ステップ２０８においては、使用されるモードは以下のようなことを確定する。即ち、物理リソースブロックのＱ×Ｐアレイには、
１）送信アンテナ１０８−１〜１０８−Ｎのいずれも、少なくとも二つのパイロット位置を有すること、
２）すべてのパイロット位置は、時間領域及び周波数領域方向において互いに間隔を隔てていること、
３）同一のアンテナのパイロット位置間の最大時間領域間隔／最大周波数領域間隔が、時間領域／周波数領域方向における当該同一のアンテナのパイロット位置のうち、アレイの一端に最も近接するパイロット位置と、その一端との間の時間領域／周波数領域間隔より、大きい又は等しいこと、である。
【００２４】
送信アンテナ毎の送信データを処理する際には、当該モードに応じて、当該送信アンテナためのパイロットシンボルを当該送信アンテナのパイロット位置に挿入し、そして、ＯＦＤＭデータシンボルをパイロット位置以外の位置に載せる。例えば、ある送信アンテナの伝搬路に対して、当該伝搬路におけるステップ２０６で出力されたＯＦＤＭデータシンボルストリーム中の現在位置がパイロット位置であるかどうかを判定する。パイロット位置であれば、当該送信アンテナのパイロット位置であるかどうかを判定する。当該送信アンテナのパイロット位置であれば、当該送信アンテナのパイロットシンボルを当該位置に挿入する。当該送信アンテナのパイロット位置ではなければ、任意の充填符号を挿入する（空き符号（例えば０）又は他の伝送への干渉が低い符号が好ましい）。パイロット位置でなければ、現在位置を次のＯＦＤＭデータシンボルに移行する。一つの物理リソースブロックが形成されるまで、以上のように処理を行う。
【００２５】
図３は本発明の実施例によるＭＩＭＯ−ＯＦＤＭ受信装置３００を示すブロック図である。ここで、理解ための例示とする目的から、解決しようとする課題と関連する部品として、例えば、復号器、逆多重化器、パラレル／シリアル変換器、高速フーリエ変換器（ＦＦＴ）、ＣＰ削除、受信アンテナ等を示している。
【００２６】
図３に示すように、ＭＩＭＯ−ＯＦＤＭ受信装置３００は、復号器３０１、逆多重化器３０２、パイロット抽出器３０３、パラレル／シリアル変換器３０４−１〜３０４−Ｎ、ＦＦＴ３０５−１〜３０５−Ｎ、ＣＰ削除器３０６−１〜３０６−Ｎ、受信アンテナ３０７−１〜３０７−Ｎ及びチャネル推定器３０８を含む。ここで、Ｎ＞１である。
【００２７】
受信アンテナ３０７−１〜３０７−Ｎは、それぞれ、各送信アンテナから送信されたＯＦＤＭシンボルストリームのＲＦ信号を受信する。ＲＦ信号が信号処理部（図示せず）によってＯＦＤＭシンボルストリームに処理される。ＣＰ削除器３０６−１〜３０６−Ｎは、それぞれ、各受信アンテナの対応する伝搬路における送信装置で挿入されたサイクリック・プレフィックスを除去する。ＦＦＴ３０５−１〜３０５−Ｎは、それぞれ、対応する伝搬路における各サブキャリアのＯＦＤＭシンボルストリームを時間領域から周波数領域に変換する。パラレル／シリアル変換器３０４−１〜３０４−Ｎは、それぞれ、対応する伝搬路における送信周期毎の各サブキャリアのＯＦＤＭシンボルストリームを物理リソースブロックに合成する。パイロット抽出器３０３は、各伝搬路のそれぞれに対して、モードに応じて、対応する送信アンテナのパイロットシンボルを、物理リソースブロックから抽出し、全てのパイロットシンボルを除去して、ＯＦＤＭシンボルストリームを生成する。チャネル推定器３０８は、パイロット抽出器３０３で抽出されたパイロットシンボルから、対応する空間チャネルの各サブキャリアの、送信周期における各時刻のチャネルパラメータを推定する。逆多重化器３０２は、時空間符号化や空間多重等の技術に基づいて、各伝搬路のＯＦＤＭデータシンボルをＯＦＤＭデータシンボルストリームに合成する。ここで、推定されたチャネルパラメータに基づいて、チャネル応答行列を取得する。復号器３０１は、ＯＦＤＭデータシンボルを符号化されたデータに符号復調し、そして、符号化されたデータを伸張や、誤り検出符号化、誤り訂正符号化等の復号処理を行って、情報ビットストリームを生成する。
【００２８】
パイロット抽出器３０３は、モード（前述の送信装置１００に使用するモードと同じ）に応じて、パラレル／シリアル変換器３０４−１〜３０４−Ｎからの、各受信アンテナ及び各送信アンテナ間の空間チャネルに対応する物理リソースブロックからパイロットシンボルを抽出して、ＯＦＤＭデータシンボルストリームを取得する。例えば、一つの受信アンテナと一つの送信アンテナとの間の空間チャネルに対応する物理リソースブロックを処理するときに、パイロット抽出器３０３は、当該モードに応じて、当該物理リソースブロック中の現在位置がパイロット位置であるかどうかを判定する。パイロット位置であれば、当該送信アンテナのパイロット位置であるかどうかを判定する。当該送信アンテナのパイロット位置であれば、当該位置から当該送信アンテナのパイロットシンボルを抽出して除去する。当該送信アンテナのパイロット位置ではなければ、当該位置の符号を除去する。パイロット位置ではなげれば、現在位置を次のＯＦＤＭシンボルに移行する。パイロット除去器３０３は、一つの物理リソースブロックの処理が済むまで（その中で保留したＯＦＤＭシンボルがＯＦＤＭデータシンボルストリームを形成する）、以上のように処理を行い、そして、次の物理リソースブロックを続けて処理する。
【００２９】
チャネル推定器３０８は、パイロット抽出器３０３が物理リソースブロックから抽出したパイロットシンボルに基づいて、対応する受信アンテナ及び送信アンテナ間の空間チャネルのチャネルパラメータを推定する。本分野の既存の方法によってチャネルパラメータを推定することができる。例えば、チャネルパラメータを推定するときに、モードによって、送信アンテナのパイロット位置を知ることができ、パイロット位置から抽出されたパイロットシンボルを知ることができる。従って、既知のパイロット情報により、パイロット位置におけるチャネルパラメータを推定することができる。同一の送信アンテナの任意の二つの隣接するパイロット位置、即ち、アレイの中の第Ｍ１行の第Ｎ１列と第Ｍ２行の第Ｎ２列のパイロット位置において取得したチャネルパラメータに対して、第Ｍ２行の第Ｎ１列及び第Ｍ１行の第Ｎ２列の位置におけるチャネルパラメータが、それぞれ第Ｍ１行の第Ｎ１列及び第Ｍ２行の第Ｎ２列のパイロット位置におけるチャネルパラメータと同じであると仮定する。残りのデータシンボル位置におけるチャネル応答は内挿補間や外挿補間の方法により推定して取得される。
【００３０】
なお、前述の実施例では、一つのパイロット抽出器３０３を記述したが、本発明はこれに限定されないことに注意すべきである。ＭＩＭＯ−ＯＦＤＭ受信装置３００は、それぞれ異なる伝搬路を処理する複数のパイロット抽出器を含んでもよい。例えば、図３に示すように、ＭＩＭＯ−ＯＦＤＭ受信装置３００は、それぞれ受信アンテナ３０７−１〜３０７−Ｎの対応する伝搬路を処理するパイロット抽出器３０３−１〜３０３−Ｎを含んでもよい。
【００３１】
図４は本発明の実施例によるＭＩＭＯ−ＯＦＤＭ受信方法を示すフローチャートである。ここで、理解ための例示とする目的から、解決しようとする課題と関連するステップとして、例えば、復号ステップ、逆多重化ステップ、パラレル／シリアル変換ステップ、高速フーリエ変換ステップ、ＣＰ削除ステップ、アンテナ受信ステップ等を示している。
【００３２】
図４に示すように、この方法はステップ４００から始まる。ステップ４０２において、それぞれ、各送信アンテナから送信されたＯＦＤＭシンボルストリームのＲＦ信号を受信し、ＲＦ信号がＯＦＤＭシンボルストリームに処理される。ステップ４０４において、それぞれ、送信装置により挿入された、各受信アンテナの対応する伝搬路におけるサイクリック・プレフィックスを除去する。ステップ４０６において、それぞれ、対応する伝搬路における各サブキャリアのＯＦＤＭシンボルストリームを時間領域から周波数領域に変換する。ステップ４０８において、それぞれ、対応する伝搬路における送信周期毎の各サブキャリアのＯＦＤＭシンボルストリームを物理リソースブロックに合成する。ステップ４１０において、各伝搬路のそれぞれに対して、モードに応じて、対応する送信アンテナのパイロットシンボルを物理リソースブロックから抽出し、そして、全てのパイロットシンボルを除去することで、ＯＦＤＭシンボルストリームを生成し、抽出されたパイロットシンボルから、対応する空間チャネルの各サブキャリアの、送信周期の各時刻におけるチャネルパラメータを推定する。ステップ４１２において、時空間符号化や空間多重等の技術に基づいて、各伝搬路のＯＦＤＭデータシンボルをＯＦＤＭデータシンボルストリームに合成する。ここで、推定されたチャネルパラメータに基づいて、チャネル応答行列を取得する。ステップ４１４において、ＯＦＤＭデータシンボルを符号化されたデータに符号復調し、そして、符号化されたデータに伸張や誤り検出符号化、誤り訂正符号化等の復号処理を行って、情報ビットストリームを生成する。ステップ４１６において、この方法を終了する。物理リソースブロック毎の受信に対して、図４に示す方法を実行する。物理リソースブロックを連続して受信した場合には、この方法を繰り返して実行することができる。
【００３３】
ステップ４１０において、モード（前述の送信装置１００に使用するモードと同じ）に応じて、各受信アンテナ及び各送信アンテナ間の空間チャネルに対応する物理リソースブロックからパイロットシンボルを抽出して、ＯＦＤＭデータシンボルストリームを取得する。例えば、一つの受信アンテナと一つの送信アンテナとの間の空間チャネルに対応する物理リソースブロックを処理する際には、当該モードに応じて、当該物理リソースブロックにおける現在位置がパイロット位置であるかどうかを判定する。パイロット位置であれば、当該送信アンテナのパイロット位置であるかどうかを判定する。当該送信アンテナのパイロット位置であれば、当該位置から当該送信アンテナのパイロットシンボルを抽出して除去する。当該送信アンテナのパイロット位置ではなければ、当該位置の符号を除去する。パイロット位置ではなければ、現在位置を次のＯＦＤＭシンボルに移行する。ステップ４１０において、一つの物理リソースブロックの処理が済むまで（その中の保留したＯＦＤＭシンボルがＯＦＤＭデータシンボルストリームを形成する）、以上のように処理を行う。
【００３４】
ステップ４１０において、さらに、物理リソースブロックから抽出したパイロットシンボルに基づいて、対応する受信アンテナ及び送信アンテナ間の空間チャネルのチャネルパラメータを推定する。本分野の既存の方法によってチャネルパラメータを推定することができる。例えば、チャネルパラメータを推定するときに、モードによって、送信アンテナのパイロット位置を知ることができ、パイロット位置から抽出されたパイロットシンボルを知ることができる。従って、既知のパイロット情報により、パイロット位置におけるチャネルパラメータを推定することができる。同一の送信アンテナの任意の二つの隣接のパイロット位置、即ち、アレイの中の第Ｍ１行の第Ｎ１列と第Ｍ２行の第Ｎ２列のパイロット位置において取得したチャネルパラメータに対して、第Ｍ２行の第Ｎ１列及び第Ｍ１行の第Ｎ２列の位置におけるチャネルパラメータが、それぞれ第Ｍ１行の第Ｎ１列及び第Ｍ２行の第Ｎ２列のパイロット位置におけるチャネルパラメータと同じであると仮定する。残るデータシンボル位置におけるチャネル応答は内挿補間や外挿補間の方法により推定して取得される。
【００３５】
本発明の実施例によれば、各送信アンテナのいずれも、少なくとも二つのパイロット位置を有するため、対応するパイロットシンボルから取得したチャネルパラメータに基づいて、時間領域及び周波数領域方向において、内挿補間や外挿補間を行って、その他の位置のチャネルパラメータを取得することができる。このようにして、実際にパイロット位置のパイロットシンボルによりチャネルパラメータを推定する次数を低減することができる。また、全てのパイロット位置が時間領域及び周波数領域方向において、お互いに間隔を隔てていることで、異なる送信アンテナのパイロットシンボルがお互いに干渉しないことを保証することができる。なお、同一のアンテナのパイロット位置間の最大時間領域間隔／最大周波数領域間隔が、当該同一のアンテナのパイロット位置のうち、時間領域／周波数領域方向におけるアレイ一端に最も近接するパイロット位置（例えば、最左、右／最上、下のパイロット位置）と、その最も近接する一端（左、右／上、下の端）との間の時間領域／周波数領域間隔より大きいまたは等しいことで、外挿補間の方法により推定されたパラメータに対して、内挿補間の方法により推定されたパラメータの方が、その数が多くまたは等しくなる。本発明者は、外挿補間の方法により推定されたパラメータよりも、内挿補間の方法により推定されたパラメータの方がより正確であると発見したため、本発明のモードでは、パラメータの推定の品質を高めることができる。
【００３６】
一つの好ましい実施例では、データシンボル位置のチャネルパラメータの推定誤差を、更に低くするように、同一の送信アンテナの全ての隣接のパイロット位置間の時間領域間隔／周波数領域間隔をできるだけ近くする。
【００３７】
一つの好ましい実施例では、チャネルパラメータの推定の品質を更に均一にし、そして、データシンボル位置のチャネルパラメータの推定誤差を更に低くすることができるように、全ての送信アンテナについて、全ての同一の送信アンテナの隣接するパイロット位置間の時間領域間隔／周波数領域間隔をできるだけ近くする。
【００３８】
一つの好ましい実施例には、Ｎ＝８、Ｐ＝６、且つＱ＝１８であり、そして、アレイに下記のパイロット位置、
｛Ｐｘ１,１,１、Ｐｘ７,２,１、Ｐｘ２,５,１、Ｐｘ８,６,１、
Ｐｘ３,１,６、Ｐｘ５,２,６、Ｐｘ４,５,６、Ｐｘ６,６,６、
Ｐｘ２,１,１３、Ｐｘ８,２,１３、Ｐｘ１,５,１３、Ｐｘ７,６,１３、
Ｐｘ４,１,１８、Ｐｘ６,２,１８、Ｐｘ３,５,１８、Ｐｘ５,６,１８｝
を含む。
【００３９】
ただし、Ｐｘi，ｙ，ｚは、アレイの中の時間領域の（例えば、左から右へ数えた）第ｙ番目のＯＦＤＭシンボル、周波数領域の（例えば、上から下へ数えるた）第ｚ番目のサブキャリアにおける第ｘi番目の送信アンテナに対するパイロット位置を表す、ｘ１、ｘ２、ｘ３、ｘ４、ｘ５、ｘ６、ｘ７、ｘ８は、０より大きく、９より小さく、且つ、お互いに等しくない。
【００４０】
このモードでは、第１、２、５、６番目のシンボルに対して、不等間隔に、合計１６個のパイロットを配置する。周波数領域の両端のいずれも、パイロットを有する。中間の二つのシンボルは全てデータ伝送に用いられる。８個のアンテナに割り当てるパイロットを交錯配列することで、異なるアンテナ間の相互の干渉を回避することが可能になる。各アンテナのそれぞれに割り当てるパイロット位置は二つである。パイロット位置は、ＯＦＤＭシンボル域の間隔が３であり、周波数領域の間隔が１１である。
【００４１】
図５に、このようなアレイの一つの具体的な例を示す。ここで、Ｐｎは、第ｎ番目のアンテナのパイロット位置を表す。
【００４２】
好ましく、アレイには、下記のパイロット位置、
｛Ｐｘ１,１,２、Ｐｘ７,２,２、Ｐｘ２,５,２、Ｐｘ８,６,２、
Ｐｘ３,１,７、Ｐｘ５,２,７、Ｐｘ４,５,７、Ｐｘ６,６,７、
Ｐｘ２,１,１２、Ｐｘ８,２,１２、Ｐｘ１,５,１２、Ｐｘ７,６,１２、
Ｐｘ４,１,１７、Ｐｘ６,２,１７、Ｐｘ３,５,１７、Ｐｘ５,６,１７｝
を含む。
【００４３】
このモードでは、第１、２、５、６番目のシンボルについて、第二番目のサブキャリアから始めて、等間隔に合計１６個のパイロットを配置する。第一番目と最後のサブキャリアは、データ伝送に用いられ、中間の二つのシンボルは全てデータ伝送に用いられる。８個のアンテナに割り当てるパイロットを交錯配列することで、異なるアンテナ間の相互干渉を回避することが可能になる。各アンテナのそれぞれに割り当てるパイロット位置は、二つである。パイロット位置は、ＯＦＤＭシンボル域の間隔が３であり、周波数領域の間隔が９である。
【００４４】
図６には、このようなアレイの一つの具体的な例を示している。ここで、Ｐｎは、第ｎ番目のアンテナのパイロット位置を表す。
【００４５】
前記の二種のモードのパイロットコストは、４／２７である。
【００４６】
選択可能に、アレイには、下記のパイロット位置、
｛Ｐｘ１,１,１、Ｐｘ７,２,１、Ｐｘ２,５,１、Ｐｘ８,６,１、
Ｐｘ３,１,２、Ｐｘ５,２,２、Ｐｘ４,５,２、Ｐｘ６,６,２、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１７、Ｐｘ８,２,１７、Ｐｘ１,５,１７、Ｐｘ７,６,１７、
Ｐｘ４,１,１８、Ｐｘ６,２,１８、Ｐｘ３,５,１８、Ｐｘ５,６,１８｝
が含まれる。
【００４７】
このモードでは、１０８個のサブキャリアの物理リソースユニット中の四つの頂点位置にそれぞれ４個のパイロットを配置し、中間の位置に８個のパイロットを配置する。合計２４個のパイロットが、８個の送信アンテナに割り当てられる。８個のアンテナに割り当てられたパイロットを交錯配列することで、異なるアンテナ間の相互干渉を回避することが可能になる。各アンテナのそれぞれに使用されるパイロット位置は、ＯＦＤＭシンボル域及び周波数領域内の分布のいずれも、不等間隔である。ＯＦＤＭシンボル域内の間隔が１、周波数領域内の間隔が６又は８である。
【００４８】
図７には、このようなアレイの一つの具体的な例を示している。ここで、Ｐｎは第ｎ番目のアンテナのパイロット位置を表す。
【００４９】
選択可能に、アレイには、下記のパイロット位置、
｛Ｐｘ１,１,２、Ｐｘ７,２,２、Ｐｘ２,５,２、Ｐｘ８,６,２、
Ｐｘ３,１,３、Ｐｘ５,２,３、Ｐｘ４,５,３、Ｐｘ６,６,３、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１６、Ｐｘ８,２,１６、Ｐｘ１,５,１６、Ｐｘ７,６,１６、
Ｐｘ４,１,１７、Ｐｘ６,２,１７、Ｐｘ３,５,１７、Ｐｘ５,６,１７｝
を含むことができる。
【００５０】
このモードでは、１０８個のサブキャリアの物理リソースユニット中の、第１番目及び最後のサブキャリア以外の四つの頂点位置にそれぞれ４個のパイロットを配置し、中間の位置に８個のパイロットを配置する。合計２４個のパイロットが、８個の送信アンテナに割り当てられる。８個のアンテナに割り当てられたパイロットを交錯配列することで、異なるアンテナ間の相互干渉を回避することが可能になる。各アンテナのそれぞれに使用されるパイロット位置は、ＯＦＤＭシンボル域及び周波数領域内の分布のいずれも、等間隔である。ＯＦＤＭシンボル域内の間隔が１、周波数領域内の間隔が５又は７である。
【００５１】
図８には、このようなアレイの一つの具体的な例を示している。ここで、Ｐｎは第ｎ番目のアンテナのパイロット位置を表す。
【００５２】
前記の二種のモードのパイロットコストは、２／９である。
【００５３】
一つの好ましい実施例には、ＭＩＭＯ−ＯＦＤＭ送信装置１００は、チャネル推定の性能要求又はチャネルの周波数選択性の特性に従って、本発明の各種のモードから、チャネル推定の性能要求又はチャネルの周波数選択性の特性に適合したモードを選択して使用し、且つＭＩＭＯ−ＯＦＤＭ受信装置３００に通知するモード制御器（図示せず）を含むことができる。これに対し、ＭＩＭＯ−ＯＦＤＭ受信装置３００は、ＭＩＭＯ−ＯＦＤＭ送信装置１００からのモード選択信号に基づいて、ＭＩＭＯ−ＯＦＤＭ送信装置１００に使用されるモードを確定するモードスイッチ（図示せず）を含むことができる。
【００５４】
前述の明細書では、本発明を特定の実施例を参照しながら説明したが、本技術分野の当業者であれば、請求項によって限定している本発明の範囲を逸脱しないことを前提に、各種の修正や変更ができることは言うまでもない。
【００５５】
上記の実施形態に関して以下の付記を記載する。
（付記１）  Ｎ個（Ｎは２以上の整数）のアンテナからＯＦＤＭデータシンボルを送信するＭＩＭＯ−ＯＦＤＭ送信方法であって、
モードに応じてパイロットシンボルを挿入して物理リソースブロックを形成する段階を含み、ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、
且つ、前記モードは、
物理リソースブロックに対応するＱ×Ｐアレイにおいて、Ｎ個のアンテナのそれぞれに対する少なくとも二つのパイロット位置を含み、すべてのパイロット位置は、時間領域及び周波数領域の方向においてお互いに間隔を隔てており、同一のアンテナのパイロット位置間の最大時間領域間隔／最大周波数領域間隔は、時間領域／周波数領域の方向における前記同一のアンテナのパイロット位置のうち、アレイの一端に最も近接するパイロット位置と、前記一端との間の時間領域／周波数領域間隔より大きい又は等しいことを含み、
ここで、各アンテナに対して、当該アンテナのためのパイロットシンボルを当該アンテナに対するパイロット位置に挿入し、且つ、ＯＦＤＭデータシンボルをパイロット位置以外の位置に載せる、ＭＩＭＯ−ＯＦＤＭ送信方法。
（付記２）  同一のアンテナの全ての隣接するパイロット位置間の時間領域間隔／周波数領域間隔をできるだけ近くする、付記１に記載のＭＩＭＯ−ＯＦＤＭ送信方法。
（付記３）  前記Ｎ個のアンテナについて、全ての同一のアンテナの隣接のパイロット位置間の時間領域間隔／周波数領域間隔をできるだけ近くする、付記２に記載のＭＩＭＯ−ＯＦＤＭ送信方法。
（付記４）  Ｎ＝８、Ｐ＝６、且つＱ＝１８であり、そして、前記アレイは下記のパイロット位置の集合、
｛Ｐｘ１,１,１、Ｐｘ７,２,１、Ｐｘ２,５,１、Ｐｘ８,６,１、
Ｐｘ３,１,６、Ｐｘ５,２,６、Ｐｘ４,５,６、Ｐｘ６,６,６、
Ｐｘ２,１,１３、Ｐｘ８,２,１３、Ｐｘ１,５,１３、Ｐｘ７,６,１３、
Ｐｘ４,１,１８、Ｐｘ６,２,１８、Ｐｘ３,５,１８、Ｐｘ５,６,１８｝、
｛Ｐｘ１,１,２、Ｐｘ７,２,２、Ｐｘ２,５,２、Ｐｘ８,６,２、
Ｐｘ３,１,７、Ｐｘ５,２,７、Ｐｘ４,５,７、Ｐｘ６,６,７、
Ｐｘ２,１,１２、Ｐｘ８,２,１２、Ｐｘ１,５,１２、Ｐｘ７,６,１２、
Ｐｘ４,１,１７、Ｐｘ６,２,１７、Ｐｘ３,５,１７、Ｐｘ５,６,１７｝、
｛Ｐｘ１,１,１、Ｐｘ７,２,１、Ｐｘ２,５,１、Ｐｘ８,６,１、
Ｐｘ３,１,２、Ｐｘ５,２,２、Ｐｘ４,５,２、Ｐｘ６,６,２、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１７、Ｐｘ８,２,１７、Ｐｘ１,５,１７、Ｐｘ７,６,１７、
Ｐｘ４,１,１８、Ｐｘ６,２,１８、Ｐｘ３,５,１８、Ｐｘ５,６,１８｝、及び
｛Ｐｘ１,１,２、Ｐｘ７,２,２、Ｐｘ２,５,２、Ｐｘ８,６,２、
Ｐｘ３,１,３、Ｐｘ５,２,３、Ｐｘ４,５,３、Ｐｘ６,６,３、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１６、Ｐｘ８,２,１６、Ｐｘ１,５,１６、Ｐｘ７,６,１６、
Ｐｘ４,１,１７、Ｐｘ６,２,１７、Ｐｘ３,５,１７、Ｐｘ５,６,１７｝
（ここで、Ｐｘi，ｙ，ｚは、アレイの中の時間領域の第ｙ番目のＯＦＤＭシンボル、周波数領域の第ｚ番目のサブキャリアにおける第ｘi番目の送信アンテナに対するパイロット位置を表し、ｘ１、ｘ２、ｘ３、ｘ４、ｘ５、ｘ６、ｘ７、ｘ８は、０より大きく、９より小さく、且つ、お互いに等しくない。）
のいずれか一つを含む、付記１乃至３のいずれか一項に記載のＭＩＭＯ−ＯＦＤＭ送信方法。
（付記５）  各アンテナにパイロットシンボルを挿入するとき、当該アンテナに対応しないパイロット位置に空き符号を挿入する、付記１乃至３のいずれか一項に記載のＭＩＭＯ−ＯＦＤＭ送信方法。
（付記６）  チャネル推定の性能要求又はチャネルの周波数選択性の特性に従って前記モードを確定し、受信端に通知する、付記１乃至３のいずれか一項に記載のＭＩＭＯ−ＯＦＤＭ送信方法。
（付記７）  Ｎ個（Ｎは２以上の整数）の送信アンテナから送信された信号をＭ個（Ｍは１以上の整数）の受信アンテナによって受信するＭＩＭＯ−ＯＦＤＭ受信方法であって
各受信アンテナ及び各送信アンテナに対して、モードに応じて、周波数領域に変換された物理リソースブロックからパイロットシンボルを抽出する段階と、
抽出されたパイロットシンボルに基づいて前記受信アンテナと前記送信アンテナとの間のチャネルのパラメータを推定する段階とを含み、
ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、
且つ、前記モードは、
物理リソースブロックに対応するＱ×Ｐアレイにおいて、Ｎ個の送信アンテナのそれぞれの送信アンテナに対する少なくとも二つのパイロット位置を含み、パイロット位置のすべては、時間領域及び周波数領域の方向においてお互いに間隔を隔てており、同一の送信アンテナのパイロット位置間の最大時間領域間隔／最大周波数領域間隔は、時間領域／周波数領域の方向における前記同一の送信アンテナのパイロット位置のうち、アレイの一端に最も近接するパイロット位置と、前記一端との間の時間領域／周波数領域間隔より大きい又は等しいことを含み、
ここで、各送信アンテナに対して、当該送信アンテナに対するパイロット位置からパイロットシンボルを抽出し、且つ、ＯＦＤＭデータシンボルをパイロット位置以外の位置に載せる、ＭＩＭＯ−ＯＦＤＭ受信方法。
（付記８）  同一の送信アンテナの全ての隣接するパイロット位置間の時間領域間隔／周波数領域間隔をできるだけ近くする、付記７に記載のＭＩＭＯ−ＯＦＤＭ受信方法。
（付記９）  前記Ｎ個の送信アンテナについて、全ての同一の送信アンテナの隣接するパイロット位置間の時間領域間隔／周波数領域間隔をできるだけ近くする、付記８に記載のＭＩＭＯ−ＯＦＤＭ受信方法。
（付記１０）  Ｎ＝８、Ｐ＝６、且つＱ＝１８であり、そして、前記アレイは下記のパイロット位置の集合、
｛Ｐｘ１,１,１、Ｐｘ７,２,１、Ｐｘ２,５,１、Ｐｘ８,６,１、
Ｐｘ３,１,６、Ｐｘ５,２,６、Ｐｘ４,５,６、Ｐｘ６,６,６、
Ｐｘ２,１,１３、Ｐｘ８,２,１３、Ｐｘ１,５,１３、Ｐｘ７,６,１３、
Ｐｘ４,１,１８、Ｐｘ６,２,１８、Ｐｘ３,５,１８、Ｐｘ５,６,１８｝、
｛Ｐｘ１,１,２、Ｐｘ７,２,２、Ｐｘ２,５,２、Ｐｘ８,６,２、
Ｐｘ３,１,７、Ｐｘ５,２,７、Ｐｘ４,５,７、Ｐｘ６,６,７、
Ｐｘ２,１,１２、Ｐｘ８,２,１２、Ｐｘ１,５,１２、Ｐｘ７,６,１２、
Ｐｘ４,１,１７、Ｐｘ６,２,１７、Ｐｘ３,５,１７、Ｐｘ５,６,１７｝、
｛Ｐｘ１,１,１、Ｐｘ７,２,１、Ｐｘ２,５,１、Ｐｘ８,６,１、
Ｐｘ３,１,２、Ｐｘ５,２,２、Ｐｘ４,５,２、Ｐｘ６,６,２、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１７、Ｐｘ８,２,１７、Ｐｘ１,５,１７、Ｐｘ７,６,１７、
Ｐｘ４,１,１８、Ｐｘ６,２,１８、Ｐｘ３,５,１８、Ｐｘ５,６,１８｝、及び
｛Ｐｘ１,１,２、Ｐｘ７,２,２、Ｐｘ２,５,２、Ｐｘ８,６,２、
Ｐｘ３,１,３、Ｐｘ５,２,３、Ｐｘ４,５,３、Ｐｘ６,６,３、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１６、Ｐｘ８,２,１６、Ｐｘ１,５,１６、Ｐｘ７,６,１６、
Ｐｘ４,１,１７、Ｐｘ６,２,１７、Ｐｘ３,５,１７、Ｐｘ５,６,１７｝、
（ここで、Ｐｘi，ｙ，ｚは、アレイの中の時間領域の第ｙ番目のＯＦＤＭシンボル、周波数領域の第ｚ番目のサブキャリアにおける第ｘi番目の送信アンテナに対するパイロット位置を表し、ｘ１、ｘ２、ｘ３、ｘ４、ｘ５、ｘ６、ｘ７、ｘ８は、０より大きく、９より小さく、且つ、お互いに等しくない。）
のいずれか一つを含む、付記７乃至９のいずれか一項に記載のＭＩＭＯ−ＯＦＤＭ送信方法。
（付記１１）  さらに、送信端からのモードに応じて信号を選択して前記モードを確定することを含む、付記７乃至９のいずれか一項に記載のＭＩＭＯ−ＯＦＤＭ送信方法。
（付記１２）  Ｎ個（Ｎは２以上の整数）のアンテナからＯＦＤＭデータシンボルを送信するＭＩＭＯ−ＯＦＤＭ送信装置であって、
モードに応じてパイロットシンボルを挿入して物理リソースブロックを形成するパイロット挿入器を含み、
ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、
且つ、前記モードは、
物理リソースブロックに対応するＱ×Ｐアレイにおいて、Ｎ個のアンテナのそれぞれに対する少なくとも二つのパイロット位置を含み、すべてのパイロット位置は、時間領域及び周波数領域の方向においてお互いに間隔を隔てており、且つ、同一のアンテナのパイロット位置間の最大時間領域間隔／最大周波数領域間隔は、時間領域／周波数領域の方向における前記同一のアンテナのパイロット位置のうち、アレイの一端に最も近接するパイロット位置と、前記一端との間の時間領域／周波数領域間隔より大きい又は等しいことを含み、
ここで、各アンテナのそれぞれに対して、当該アンテナためのパイロットシンボルを当該アンテナに対するパイロット位置に挿入し、且つ、ＯＦＤＭデータシンボルをパイロット位置以外の位置に載せる、ＭＩＭＯ−ＯＦＤＭ送信装置。
（付記１３）  同一のアンテナの全ての隣接するパイロット位置間の時間領域間隔／周波数領域間隔をできるだけ近くする、付記１２に記載のＭＩＭＯ−ＯＦＤＭ送信装置。
（付記１４）  前記Ｎ個のアンテナについて、全ての同一のアンテナの隣接のパイロット位置間の時間領域間隔／周波数領域間隔をできるだけ近くする、付記１３に記載のＭＩＭＯ−ＯＦＤＭ送信装置。
（付記１５）  Ｎ＝８、Ｐ＝６、且つＱ＝１８であり、そして、前記アレイは下記のパイロット位置の集合、
｛Ｐｘ１,１,１、Ｐｘ７,２,１、Ｐｘ２,５,１、Ｐｘ８,６,１、
Ｐｘ３,１,６、Ｐｘ５,２,６、Ｐｘ４,５,６、Ｐｘ６,６,６、
Ｐｘ２,１,１３、Ｐｘ８,２,１３、Ｐｘ１,５,１３、Ｐｘ７,６,１３、
Ｐｘ４,１,１８、Ｐｘ６,２,１８、Ｐｘ３,５,１８、Ｐｘ５,６,１８｝、
｛Ｐｘ１,１,２、Ｐｘ７,２,２、Ｐｘ２,５,２、Ｐｘ８,６,２、
Ｐｘ３,１,７、Ｐｘ５,２,７、Ｐｘ４,５,７、Ｐｘ６,６,７、
Ｐｘ２,１,１２、Ｐｘ８,２,１２、Ｐｘ１,５,１２、Ｐｘ７,６,１２、
Ｐｘ４,１,１７、Ｐｘ６,２,１７、Ｐｘ３,５,１７、Ｐｘ５,６,１７｝、
｛Ｐｘ１,１,１、Ｐｘ７,２,１、Ｐｘ２,５,１、Ｐｘ８,６,１、
Ｐｘ３,１,２、Ｐｘ５,２,２、Ｐｘ４,５,２、Ｐｘ６,６,２、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１７、Ｐｘ８,２,１７、Ｐｘ１,５,１７、Ｐｘ７,６,１７、
Ｐｘ４,１,１８、Ｐｘ６,２,１８、Ｐｘ３,５,１８、Ｐｘ５,６,１８｝、及び、
｛Ｐｘ１,１,２、Ｐｘ７,２,２、Ｐｘ２,５,２、Ｐｘ８,６,２、
Ｐｘ３,１,３、Ｐｘ５,２,３、Ｐｘ４,５,３、Ｐｘ６,６,３、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１６、Ｐｘ８,２,１６、Ｐｘ１,５,１６、Ｐｘ７,６,１６、
Ｐｘ４,１,１７、Ｐｘ６,２,１７、Ｐｘ３,５,１７、Ｐｘ５,６,１７｝
（ここで、Ｐｘi，ｙ，ｚは、アレイの中の時間領域の第ｙ番目のＯＦＤＭシンボル、周波数領域の第ｚ番目のサブキャリアにおける第ｘi番目の送信アンテナに対するパイロット位置を表し、ｘ１、ｘ２、ｘ３、ｘ４、ｘ５、ｘ６、ｘ７、ｘ８は、０より大きく、９より小さく、且つ、お互いに等しくない。）
のいずれか一つを含む、付記１２乃至１４のいずれか一項に記載のＭＩＭＯ−ＯＦＤＭ送信装置。
（付記１６）  各アンテナにパイロットシンボルを挿入するとき、前記パイロット挿入器は、当該アンテナに対応しないパイロット位置に空き符号を挿入する、付記１２乃至１４のいずれか一項に記載のＭＩＭＯ−ＯＦＤＭ送信装置。
（付記１７）  さらに、チャネル推定の性能要求又はチャネルの周波数選択性の特性に従って、前記モードを確定し、受信端に通知するモード制御器を含む、付記１２乃至１４のいずれか一項に記載のＭＩＭＯ−ＯＦＤＭ送信装置。
（付記１８）  Ｎ個（Ｎは２以上の整数）の送信アンテナから送信された信号をＭ個（Ｍは２以上の整数）の受信アンテナによって受信するＭＩＭＯ−ＯＦＤＭ受信装置であって、
各受信アンテナ及び各送信アンテナに対して、モードに応じて、周波数領域に変換された物理リソースブロックからパイロットシンボルを抽出するパイロット抽出器、及び
抽出されたパイロットシンボルから前記受信アンテナと前記送信アンテナとの間のチャネルのパラメータを推定するチャネル推定器を含み、
ここで、前記物理リソースブロックは、時間領域内においてＰ個（Ｐは２以上の整数）のＯＦＤＭシンボルを含み、周波数領域内においてＱ個（Ｑは２以上の整数）のサブキャリアを含み、
且つ、前記モードは、
物理リソースブロックに対応するＱ×Ｐアレイにおいて、Ｎ個の送信アンテナのそれぞれの送信アンテナに対する少なくとも二つのパイロット位置を含み、すべてのパイロット位置は、時間領域及び周波数領域の方向においてお互いに間隔を隔てており、且つ、同一の送信アンテナのパイロット位置間の最大時間領域間隔／最大周波数領域間隔は、時間領域／周波数領域の方向における前記同一の送信アンテナのパイロット位置のうち、アレイの一端に最も近接するパイロット位置と、前記一端との間の時間領域／周波数領域間隔より大きい又は等しいことを含み、
ここで、パイロット抽出器は、各送信アンテナに対して、当該アンテナに対するパイロット位置からパイロットシンボルを抽出し、そして、パイロット位置以外の位置にＯＦＤＭデータシンボルを載せる、ＭＩＭＯ−ＯＦＤＭ受信装置。
（付記１９）  同一の送信アンテナの全ての隣接のパイロット位置間の時間領域間隔／周波数領域間隔をできるだけ近くする、付記１８に記載のＭＩＭＯ−ＯＦＤＭ受信装置。
（付記２０）  前記Ｎ個の送信アンテナについて、全ての同一の送信アンテナの隣接のパイロット位置間の時間領域間隔／周波数領域間隔をできるだけ近くする、付記１９に記載のＭＩＭＯ−ＯＦＤＭ受信装置。
（付記２１）  Ｎ＝８、Ｐ＝６、且つＱ＝１８であり、そして、前記アレイは、下記のパイロット位置の集合、
｛Ｐｘ１,１,１、Ｐｘ７,２,１、Ｐｘ２,５,１、Ｐｘ８,６,１、
Ｐｘ３,１,６、Ｐｘ５,２,６、Ｐｘ４,５,６、Ｐｘ６,６,６、
Ｐｘ２,１,１３、Ｐｘ８,２,１３、Ｐｘ１,５,１３、Ｐｘ７,６,１３、
Ｐｘ４,１,１８、Ｐｘ６,２,１８、Ｐｘ３,５,１８、Ｐｘ５,６,１８｝、
｛Ｐｘ１,１,２、Ｐｘ７,２,２、Ｐｘ２,５,２、Ｐｘ８,６,２、
Ｐｘ３,１,７、Ｐｘ５,２,７、Ｐｘ４,５,７、Ｐｘ６,６,７、
Ｐｘ２,１,１２、Ｐｘ８,２,１２、Ｐｘ１,５,１２、Ｐｘ７,６,１２、
Ｐｘ４,１,１７、Ｐｘ６,２,１７、Ｐｘ３,５,１７、Ｐｘ５,６,１７｝、
｛Ｐｘ１,１,１、Ｐｘ７,２,１、Ｐｘ２,５,１、Ｐｘ８,６,１、
Ｐｘ３,１,２、Ｐｘ５,２,２、Ｐｘ４,５,２、Ｐｘ６,６,２、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１７、Ｐｘ８,２,１７、Ｐｘ１,５,１７、Ｐｘ７,６,１７、
Ｐｘ４,１,１８、Ｐｘ６,２,１８、Ｐｘ３,５,１８、Ｐｘ５,６,１８｝、及び
｛Ｐｘ１,１,２、Ｐｘ７,２,２、Ｐｘ２,５,２、Ｐｘ８,６,２、
Ｐｘ３,１,３、Ｐｘ５,２,３、Ｐｘ４,５,３、Ｐｘ６,６,３、
Ｐｘ１,３,８、Ｐｘ７,４,８、
Ｐｘ３,３,９、Ｐｘ５,４,９、
Ｐｘ２,３,１０、Ｐｘ８,４,１０、
Ｐｘ４,３,１１、Ｐｘ６,４,１１、
Ｐｘ２,１,１６、Ｐｘ８,２,１６、Ｐｘ１,５,１６、Ｐｘ７,６,１６、
Ｐｘ４,１,１７、Ｐｘ６,２,１７、Ｐｘ３,５,１７、Ｐｘ５,６,１７｝
（ここで、Ｐｘi，ｙ，ｚは、アレイの中の時間領域の第ｙ番目のＯＦＤＭシンボル、周波数領域の第ｚ番目のサブキャリアにおける第ｘi番目の送信アンテナに対するパイロット位置を表す、ｘ１、ｘ２、ｘ３、ｘ４、ｘ５、ｘ６、ｘ７、ｘ８は、０より大きく、９より小さく、且つ、お互いに等しくない。）
のいずれか一つを含む、付記１８乃至２０のいずれか一項に記載のＭＩＭＯ−ＯＦＤＭ送信装置。
（付記２２）  さらに、送信端からのモード選択信号により、前記モードを確定するモードスイッチを含む、付記１８乃至２０のいずれか一項に記載のＭＩＭＯ−ＯＦＤＭ送信装置。
【符号の説明】
【００５６】
１００  ＭＩＭＯ−ＯＦＤＭ送信装置
１０１  符号化器
１０２  符号変調器
１０３  多重化器
１０４  パイロット挿入器
１０５−１〜Ｎ  シリアル／パラレル変換器
１０６−１〜Ｎ  ＩＦＦＴ
１０７−１〜Ｎ  ＣＰ挿入器
１０８−１〜Ｎ  送信アンテナ
３００  ＭＩＭＯ−ＯＦＤＭ受信装置
３０１  復号器
３０２  逆多重化器
３０３  パイロット抽出器
３０４−１〜Ｎ  パラレル／シリアル変換器
３０５−１〜Ｎ  ＦＦＴ
３０６−１〜Ｎ  ＣＰ削除器
３０７−１〜Ｎ  受信アンテナ
３０８  チャネル推定器
【図１】
2010068518.tif 000003
【図２】
2010068518.tif 000004
【図３】
2010068518.tif 000005
【図４】
2010068518.tif 000006
【図５】
2010068518.tif 000007
【図６】
2010068518.tif 000008
【図７】
2010068518.tif 000009
【図８】
2010068518.tif 000010
【図９】
2010068518.tif 000011